(57)【要約】【課題】従来の油汚染土の浄化方法やそれらの組み合わせでは、油膜や油臭が残り、未だ改善の余地があった。【解決手段】従来の浄化方法の後、その土壌に対しサーファクチン、或いはその塩を用いて更に浄化することにより、油臭や油膜を取り除く事ができる。【選択図】なし【特許請求の範囲】
【請求項１】
所定の浄化処理が行われた油汚染土に対して、下記式（１）：
【数１】
2014172028.tif 000009
（式中、＊は光学活性点を表す。Ｘは、ロイシン、イソロイシン、バリン、から選ばれるアミノ酸を表し、Ｒは、置換されていてもよい炭素数１〜２０の直鎖アルキル基、または分岐アルキル基を表す。Ｍは、水素、或いはアルカリ金属、アルカリ土類金属、置換されていてもよいアンモニウムなどを表す。）で表されるサーファクチン、またはその塩を散布、混合する工程を含む、油汚染土の浄化方法。
【請求項２】
前記油汚染土の浄化方法において、前記油汚染土が、前記所定の浄化処理で、サーファクチン、或いは、その塩が使用されていない油汚染土である請求項１に記載の浄化方法。
【請求項３】
前記油汚染土の浄化方法において、添加剤を混合する請求項１から２に記載の浄化方法。
【請求項４】
前記添加剤がキレート剤である請求項３に記載の浄化方法。
【請求項５】
前記添加剤をサーファクチン、或いはその塩を添加する前、或いは同時に、前記油汚染土と混合する請求項３又は４に記載の浄化方法。
【請求項６】
サーファクチン、或いはその塩の使用量が、前記油汚染土１トンに対して、０．３ｇ以上、３０ｇ以下である請求項１から５に記載の浄化方法。
【発明の詳細な説明】
【技術分野】
【０００１】
本発明は、油汚染土の浄化方法に関する。
【背景技術】
【０００２】
原油や重油などの油分に汚染された土壌が各地で社会問題となっている。例えば、各種製造工場やガソリンスタンドなどの跡地、海難事故により流出した原油や重油に汚染された海浜の砂浜などが挙げられる。これら汚染土壌は、それ自体が地中の生態系に大きな影響を与えるだけでなく、近辺の地下水や河川、海水の汚染にも繋がるため、水生生物や人の生活への影響も無視できない。このような背景のもと、油汚染土の浄化方法としては、細菌やカビなど微生物の分解能力を利用して、環境中の汚染物質を分解無害化するバイオレメディエーション（特許文献１）や、そのバイオレメディエーションに水洗浄や分級操作を組み合わせた方法（特許文献２）などが知られている。
【先行技術文献】
【特許文献】
【０００３】
【特許文献１】特開２００９−２８５６３０号公報
【特許文献２】特許３７４８０００号
【発明の概要】
【発明が解決しようとする課題】
【０００４】
しかしながら、これまでのバイオレメディエーションや水洗浄との組み合わせでは、油臭や油膜を十分には取り除けておらず、更に洗浄などの再処理を追加する必要があった。
【課題を解決するための手段】
【０００５】
本発明者らは、上記課題に鑑み鋭意検討を行った結果、これまでの浄化方法により粗方の油分を取り除いた油汚染土に、サーファクチン、或いはその塩を散布、混合する工程を加えることにより、油臭や油膜の除去効果が向上することを見出し、本発明を完成させるに至った。
【０００６】
即ち、本発明は、サーファクチン、或いはその塩を用いた油汚染土の浄化方法に関する。
【発明の効果】
【０００７】
本発明にかかる浄化方法では、バイオレメディエーションや土壌洗浄等との組み合わせでは除くことができなかった油臭、油膜を、少量のサーファクチン、或いはその塩を使用することで、簡便に取り除くことができる。
【図面の簡単な説明】
【０００８】
【図１】サーファクチンによる油汚染土の油臭、油膜除去効果を評価、検討する試験を説明する図であって、（ａ）模擬油汚染土を模した湿潤の砂がシャーレに入れられており、水が散布された状態、（ｂ）模擬油汚染土に水を散布して１日経過した状態、（ｃ）模擬油汚染土にサーファクチンナトリウム水溶液を散布して１日経過した状態を表す図。
【発明を実施するための形態】
【０００９】
本発明について、以下に詳述する。
【００１０】
本発明にかかる浄化方法は、所定の浄化処理工程が行われた油汚染土に対してサーファクチン、或いはその塩を散布、混合する工程を含む、ことを特徴とする。ここで、所定の浄化処理工程とは、従来公知の洗浄方法や分級、微生物分解などのバイオレメディエーションが含まれる。
【００１１】
サーファクチン、或いはその塩は、化学合成法の他、微生物、例えば、バチラス・サチラス（Ｂａｃｉｌｌｕｓ  ｓｕｂｔｉｌｉｓ）等のバチラス属細菌により生産されるものが挙げられる。ここで、サーファクチンは、下記式（１）で表される（以下、化合物（１）とする）。
【数１】
2014172028.tif 000002
【００１２】
式（１）中、＊は光学活性点を表す。
【００１３】
Ｘは、L−ロイシン、D−ロイシン、L−イソロイシン、D−イソロイシン、およびL−バリン、D−バリンから選ばれる、いずれか１種のアミノ酸を表す。
【００１４】
Ｒは、炭素数１〜２０の直鎖アルキル基または分岐アルキル基を表す。
【００１５】
ここで、炭素数１〜２０の直鎖アルキル基としては、例えば、メチル基、エチル基、ｎ−プロピル基、ｎ−ブチル基、ｎ−ペンチル基、ｎ−ヘキシル基、ｎ−ヘプチル基、ｎ−オクチル基、ｎ−ノニル基、ｎ−デシル基、ｎ−ウンデシル基、ｎ−ドデシル基、ｎ−トリデシル基、ｎ−テトラデシル基、ｎ−ペンタデシル基、ｎ−ヘキサデシル基、ｎ−ヘプタデシル基、ｎ−オクタデシル基、ｎ−ノナデシル基、ｎ−イコサニル基などが挙げられる。
【００１６】
また、炭素数１〜２０の分岐アルキル基としては、例えば、イソプロピル基、イソブチル基、ｓｅｃ−ブチル基、ｔｅｒｔ−ブチル基、イソペンチル基、ネオペンチル基、ｔｅｒｔ−ペンチル基、イソヘキシル基、７−メチルオクチル基、８−メチルノニル基、９−メチルデシル基、１０−メチルウンデシル基、１１−メチルドデシル基、６−メチルオクチル基、７−メチルノニル基、８−メチルデシル基、９−メチルウンデシル基、１０−メチルドデシル基などが挙げられる。
【００１７】
これらは、１または２以上の置換基で置換されていてもよい。置換基としては、アミノ基、ヒドロキシル基、フェニル基などのアリール基、アルカノイル基、アルケニル基、アルキニル基、アルコキシル基、ニトロ基、ハロゲン原子等が挙げられる。
【００１８】
Ｍは、アルカリ金属、アルカリ土類金属、または置換されていても良いアンモニウムなどを挙げることができ、サーファクチンと塩を形成するものであれば特に限定されるものではない。尚、塩を形成する以外のものとしては、水素が挙げられる。
【００１９】
ここで、アルカリ金属としては特に限定されないが、リチウム、ナトリウム、カリウムなどを表す。
【００２０】
アルカリ土類金属としては特に限定されないが、ベリリウム、マグネシウム、カルシウムなどを表す。
【００２１】
アンモニウムは、サーファクチンと塩を形成するものであれば特に限定されず、置換されていても良い。このようなアンモニウムとしては、無置換アンモニウムの他、一置換アンモニウム、二置換アンモニウム、三置換アンモニウムおよび四置換アンモニウムが挙げられる。
【００２２】
アンモニウムの置換基としては、例えば、メチル基、エチル基、ｎ−プロピル基、イソプロピル基、ｎ−ブチル基、ｔｅｒｔ−ブチル基等のアルキル基、ベンジル基、メチルベンジル基、フェニルエチル基等のアラルキル基、フェニル基、トルイル基、キシリル基等のアリール基等の有機基が挙げられる。
【００２３】
アンモニウムとしては、より具体的には、メチルアンモニウム、エチルアンモニウム、ベンジルアンモニウム、アニリニウム、ジエチルアンモニウム、ジシクロヘキシルアンモニウム、ピロリジニウム、モルホリニウム、Ｎ−ベンジル−Ｎ−エチルアンモニウム、Ｎ−エチルアニリニウム、トリエチルアンモニウム、テトラメチルアンモニウム、テトラエチルアンモニウム、ピリジニウム等が挙げられる。これらの有機基は、更に１または２以上の置換基で置換されていても良い。
【００２４】
サーファクチン、或いはその塩は精製品であってもよく、未精製、例えば培養液のまま使用することも出来る。
【００２５】
サーファクチン、或いはその塩を使用する際の形態は、例えば、粉末状、溶液状、泡状、ペースト状等、特に限定されるものではないが、好ましい使用形態は、水溶液である。
【００２６】
本発明におけるサーファクチン、或いはその塩の使用量は、特に制限はされないが、油汚染土１トンに対する純分の重量（ｇ）で、下限値は、０．００１ｇ以上、好ましくは０．０１ｇ以上、最も好ましくは０．１ｇ以上であり、上限値は、５００ｇ以下、好ましくは１００ｇ以下、更に好ましくは５０ｇ以下、最も好ましくは３０ｇ以下である。
【００２７】
尚、本発明における浄化処理方法では、サーファクチン、或いはその塩以外に、通常、浄化処理に用いられている添加剤を特に制限なく使用することができる。浄化に用いられる成分としては、例えば、マンノシルエリスリトールリピッドやソホロリピッド、スピクリスポール酸、エマルザン、アルスロファクチンなどのバイオサーファクタント、グリセリンなどの多価アルコール、パルミチン酸、ミリスチン酸などの高級脂肪酸、及びその誘導体、ラウリルアルコール、セチルアルコールなどの高級アルコール、及びその誘導体、クエン酸、酒石酸、乳酸等の有機酸、及びその誘導体、ポリオキシエチレンアルキルエーテルや多価アルコール脂肪酸エステルなどの非イオン性界面活性剤、アルキル硫酸エステル塩やポリオキシエチレンアルキルエーテルリン酸塩、ドデシルベンゼンスルホン酸塩などのアニオン性界面活性剤、アルキルトリメチルアンモニウム塩などのカチオン性界面活性剤、アルキルジメチルベタインなどの両性のベタイン型界面活性剤、メチルセルロース、ポリビニルアルコール、アルギン酸ナトリウムなどの水溶性高分子、コハク酸、炭酸塩、炭酸水素酸塩などのｐＨ調整剤、Ｌ−グルタミン酸二酢酸塩、クエン酸塩、酒石酸塩、シュウ酸塩、リンゴ酸塩、グルコン酸塩、フィチン酸塩などのキレート剤、ペクチン、キサンタンガムなどの増粘剤、エチレングリコールや不凍タンパク質などの不凍成分、苛性塩、アンモニアなどの塩基、塩酸、硫酸、硝酸などの鉱酸、メタノールやエタノールなどの低級アルコール、フレーバー、防腐剤、水等が挙げられるがこれらに限定されるものではない。
【００２８】
上記成分の中でも、浄化処理中にサーファクチン、或いはその塩の乳化能が阻害されることを防止する目的で、カルボキシルを複数有する成分を用いることが好ましい。例えば、Ｌ−グルタミン酸二酢酸塩、クエン酸塩、酒石酸塩、シュウ酸塩、リンゴ酸塩、グルコン酸塩、フィチン酸塩などのキレート剤が挙げられ、中でも、汎用性、経済性の観点からクエン酸塩が好ましい。
【００２９】
尚、キレート剤の金属塩は特に制限されず、リチウム、ナトリウム、カリウムなどのアルカリ金属が挙げられる。
【００３０】
キレート剤の使用量は、特に制限されないが、汚染土や水などに含まれるマグネシウムやカルシウムに対して、例えばモル当量で下限値は、０．１モル以上、好ましくは０．５モル以上、更に好ましくは１モル以上、最も好ましくは２モル以上であり、上限値は、３０モル以下、好ましくは１０モル以下、更に好ましくは５モル以下である。
【００３１】
前述した添加剤、例えば、キレート剤を添加する時期は、特に制限されず、サーファクチン、或いはその塩と同時に添加しても良く、サーファクチン、或いはその塩を使用する前に添加しても良い。
【００３２】
サーファクチン、或いはその塩、及び前述した添加剤、例えば、キレート剤を散布する方法は特に制限されず、ノズル、ホース、ポンプの組み合わせなどが挙げられる。
【００３３】
サーファクチン、或いはその塩、及び前述した添加剤、例えば、キレート剤と汚染土を混合する方法としては、容器内でシャベルなどを用いて人為的に混合する方法の他、汚染土をコンベアで連続的に混合槽に投入し、同時に、サーファクチン、或いはその塩、及び前述した添加剤、例えば、キレート剤を混合槽に連続投入する自動混合システムなどが挙げられるが、これらに限られたものではない。なお、混合した後は、分級機や遠心機などで洗浄、分離することで洗浄後の土壌は自然界に戻すことができる。
【００３４】
汚染土を汚染現場から容器などに移さない場合は、サーファクチン、或いはその塩、及び前述した添加剤、例えば、キレート剤を現場に散布した後、シャベルや耕耘機などを用いて混合する方法が挙げられる。この場合、サーファクチンナトリウムは生分解性を有するため、土壌との分離工程を省略することも可能である。
【００３５】
油臭や油膜の評価方法は、特に制限されないが、例えば、平成１８年３月２２日付環境省通知「油汚染対策ガイドライン―鉱油類を含む土壌に起因する油臭・油膜問題への土地所有者等による対応の考え方―」の資料４、油臭及び油膜の測定方法に提示されている（表１）。油臭の測定方法はパネラーによる官能評価試験であり、油膜は水に投入あるいは浸した際の油膜の発生状況の視覚評価試験である。
【表１】
2014172028.tif 000003
【００３６】
油臭の判定は、「その強度レベルの目安を下記の表２に一例を示すように、６段階評価するものである。どの程度をもって油臭ありと判断するかはケースバイケースである。」とされている。
【００３７】
本願発明者の知見によれば、多くの場合、油臭強度レベルで、０あるいは１が油汚染土の浄化処理の到達レベルに設定されている。
【表２】
2014172028.tif 000004
【００３８】
一方、油膜の判定について、上述した平成１８年３月２２日付環境省通知の資料４では「試験操作の結果、液面に油膜が視認された場合、また、液面に、黒色又は白色の油膜が浮遊している場合や、光の干渉による干渉縞の形成又は鈍い銀色の輝きが視認された場合、油膜が生じたものと判定する。」とあるように油膜の有無のみを評価している。油膜の程度は、上記資料に明記されていないため、個々の事業主体によっては、油汚染土の浄化工事などの実績と経験から、例えば、下記の表３に示すように５段階で評価している。この評価では多くの場合、油膜強度レベルで、０あるいは１が油汚染土の浄化処理の到達レベルに設定されている。
【表３】
2014172028.tif 000005
【００３９】
これら油臭、油膜の到達レベルを満たすため、これまでは煩雑な洗浄操作を繰り返していたが、本発明にかかる浄化方法によると、油臭や油膜を効率良く除くことができる。
【実施例】
【００４０】
以下に本発明の具体的な実施例を示す。しかし、本発明はこれらの実施例により限定されるものではない。
【００４１】
（実施例１）
油臭・油膜の除去効果試験
所定の浄化処理が行われた油汚染土を作成すべく、工事現場の地下水に混入していた機械油０．２５ｍｌを湿潤した砂１００ｇに添加した。充分混合した後、４５℃で一晩乾燥した後、水を散布して約５００ｐｐｍの模擬油汚染土を作製した（有姿約５００ｇ）。
【００４２】
模擬汚染土を２つのシャーレに５ｇずつ採取し、純水、或いは純水にて３ｐｐｍに調製したサーファクチンナトリウム水溶液６ｍｌをそれぞれ散布し、油膜の発生状況を１日後に観察した（図１（ａ）（ｂ）（ｃ））。その結果、純水の場合は、前述した表２、或いは３に例示されている評価方法で、油膜の強度レベルが「２：油膜あり」であり、臭気レベルは「１：やっと感知できる臭い」であったが、サーファクチンナトリウムを散布したものでは、「０：油膜なし」であり、臭気は「０：無臭」であった。尚、使用したサーファクチンナトリウムは市販品（純度９０％以上）である。
【００４３】
（実施例２〜４）
サーファクチンナトリウムの散布量検討
実施例１と同様に調製した模擬油汚染土１００ｇずつを４つのシャーレに取り、各シャーレには、表４記載の濃度となるように純水で調製したサーファクチンナトリウム水溶液１種類を１０ｍｌ散布して、充分混合した後、容器を密閉し静置した。水溶液の散布直後、１日後における模擬油汚染土の油膜の発生状況を観察した。油膜の測定は表１に示すビーカー法を用いて測定を行い、油膜の程度は、表３に例示されている油膜強度レベルで評価した。この結果を表４に示す。
【００４４】
（比較例１）
実施例２〜４のサーファクチンナトリウム水溶液を純水に置き換えた以外は同様に実施した。結果を表４に示す。
【表４】
2014172028.tif 000006
【００４５】
表に示しているように、サーファクチンナトリウムの散布量が土壌１トンに対して０．３ｇであっても時間の経過と共に油膜強度レベルは低減し、２週間では「１：ごく小さな油滴ないし油痕がみとめられる」にまで低下した。尚、臭気についても、わずかに臭気があった純水の試験区に比べ、サーファクチンナトリウムを用いた試験区では、何れもほぼ無臭であった。因みに、発明者が、この他に複数回行った同様の試験、検討でも、サーファクチンナトリウムを、土壌１トンに対して０．３ｇ使用する試験区（例えば、実施例２の条件）では、上記と同様に時間の経過と共に油膜強度レベルが低下し、表２の評価方法で０〜１のレベルに落ち着いており、ほぼ無臭であった。
【００４６】
（実施例５〜８）
キレート剤の効果確認試験１：カルシウム塩を含む模擬油汚染土を使用
所定の浄化処理が行われた油汚染土を作成すべく、工事現場の地下水に混入していた機械油と軽油との混合油０．６ｇ（オイル含量；０．１重量％）を水で湿った砂６００ｇに添加し、充分混合した後４５℃で一晩乾燥した。更に水を散布して模擬油汚染土を作製した。
【００４７】
模擬油汚染土１００ｇずつを３つに分けて取り、それぞれに１００ｍｇ／Ｌの塩化カルシウム水溶液２ｍｌを添加して、カルシウム塩を含む模擬油汚染土を作製した。表５の水準となるように、土壌１００ｇに対して、サーファクチンナトリウムの純分が０．３ｍｇとなる水溶液を散布、混合した。尚、キレート剤を使用する試験区には５００ｍｇ／Ｌのクエン酸ナトリウム水溶液２ｍｌ（模擬油汚染土中の塩化カルシウムに対して２モル当量に相当）を散布した後、サーファクチンナトリウム水溶液を散布した。散布、混合してから１日経過後の油膜の様子を表１で示されているビーカー法により評価した。その結果を表５に示す。
【００４８】
（比較例２、３）
実施例５、７において、サーファクチンナトリウム水溶液を純水に置き換えた以外は同様に実施した。結果を表５に示す。
【表５】
2014172028.tif 000007
【００４９】
表に示すように、油汚染土中にカルシウム塩を含む場合、サーファクチンナトリウムの油膜除去効果は阻害されることが分かる（実施例７）。一方、油汚染土に塩化カルシウムが含まれていてもキレート剤を使用することで（実施例８）、サーファクチンナトリウムの油膜除去効果は改善され、油膜強度レベルは「０：油膜なし」であった。臭気については、わずかに臭気があった比較例の試験区に比べ、サーファクチンナトリウムを用いた試験区では、何れもほぼ無臭であった。
【００５０】
（実施例９〜１１）
キレート剤の効果確認試験２：カルシウム塩を含む井戸水の模擬液を使用
所定の浄化処理が行われた油汚染土を作成すべく、工事現場の地下水に混入していた機械油０．２５ｍｌを湿潤した砂１００ｇに添加した。充分混合した後、４５℃で一晩乾燥した後、水を散布し約５００ｐｐｍの模擬汚染土を作製した（有姿約５００ｇ）。
【００５１】
井戸水の模擬液を作製すべく、サーファクチンナトリウムを３０ｐｐｍ含む水溶液、及びサーファクチンナトリウムと塩化カルシウムをそれぞれ３０ｐｐｍ含む水溶液、更にサーファクチンナトリウムと塩化カルシウムとクエン酸ナトリウムをそれぞれ３０ｐｐｍ含む水溶液、計３種を調製した。３つのシャーレに模擬汚染土１００ｇずつ取り、各シャーレには、調製した水溶液１種ずつ１０ｍｌ散布して、充分混合した後、容器を密閉し静置した。水溶液の１日経過後におけるそれぞれの模擬油汚染土の油膜・油臭の発生状況を観察した。油膜の測定は表１に示すビーカー法を用いて測定し、油膜の程度は、表３に例示されている油膜強度レベルで評価した。この結果を表６に示す。
【００５２】
（比較例４）
実施例９において、サーファクチンナトリウム水溶液を純水に置き換えた以外は同様に実施した。結果を表６に示す。
【表６】
2014172028.tif 000008
【００５３】
表に示しているように、塩化カルシウムを含む井戸水の模擬液であっても、キレート剤を共存させておくことで（実施例１１）、サーファクチンナトリウムの油膜除去効果は顕著に低下することなく、油膜強度レベルは「１」と問題ないレベルであった。臭気については、わずかに臭気があった純水の試験区に比べ、サーファクチンナトリウムの効果を認めた試験区（実施例９〜１１）においては、いずれもほぼ無臭であった。
【００５４】
このように、本発明によれば油汚染土の浄化方法において、サーファクチン、或いはその塩を用いることより、簡便に効率よく、油臭や油膜を除くことができる。
【図１】
2014172028.tif 000010